(57)【要約】【課題】本発明は使用しやすい計時ロック装置を開示した。【解決手段】本発明は使用しやすい計時ロック装置を開示し、主体を含み、前記主体の右側にはアンロック体が設けられ、前記主体の中には計時装置が設けられ、前記主体の中には初歩施錠装置が設けられ、前記アンロック体の中にはアンロック装置が設けられ、前記計時装置は前記主体の中に設けられるタイマーを含み、前記タイマーの左側には前記主体の中に固定的に設けられるモータが電気的に接続され、本装置を通じて施錠を行う時、初歩施錠によりドアをロックすることができ、一定の時間内にドアを開けようとする時は簡単な解錠によりドアを開けることができ、しかし、一定の時間内にドアを開けないと、一時ドアを開ける必要がないと見なされ、安全性を確保するために、本装置は自動的に二次施錠を行い、徹底的にドアをロックする。【選択図】図１
2020180532.tif 000002
【特許請求の範囲】
【請求項１】
主体を含み、前記主体の右側にはアンロック体が設けられ、前記主体の中には計時装置が設けられ、前記主体の中には初歩施錠装置が設けられ、前記アンロック体の中にはアンロック装置が設けられ、前記計時装置は前記主体の中に設けられるタイマーを含み、前記タイマーの左側には前記主体の中に固定的に設けられるモータが電気的に接続され、前記主体の右端面の中にはロックブロックスライドチャンバが上下対称的に設けられ、前記ロックブロックスライドチャンバの中にはロックブロックがスライドできるように設けられ、前記アンロック体の左端面の中にはロック溝が設けられ、前記初歩施錠装置が前記タイマーの右側に設けられるロックチャンバを含み、前記ロックチャンバにはロックブロックチャンバが上下対称的に互いに連通して設けられ、前記ロックブロックチャンバの中には施錠スライダがスライドできるように設けられ、前記ロックブロックチャンバのうち対称中心から離れている内壁には施錠検知ブロックが設けられ、前記施錠検知ブロックが前記タイマーと電気的に接続され、前記アンロック体の中には前記ロックチャンバに相対してロックロッドスライドチャンバが設けられ、前記ロックロッドスライドチャンバの中にはロックロッドがスライドできるように設けられ、前記ロックロッドの右端と前記ロックロッドスライドチャンバの右壁との間には押圧ばねが固定的に連結され、前記ロックロッドの左端が前記ロックチャンバの中まで伸びている時、前記計時装置を始動し、前記アンロック装置は前記アンロック体の前端面の右端に設けられるキーロックを含み、前記アンロック体の左側端面にはアンロックチャンバが上下対称的に設けられ、前記アンロックチャンバの中にはアンロックブロックがスライドできるように設けられ、前記主体の右側端面にはアンロック感知ブロックが前記アンロックブロックに対応して設けられ、前記アンロック感知ブロックが前記モータに電気的に接続されることを特徴とする使用しやすい計時ロック装置。
【請求項２】
前記計時装置は前記主体の中に上下対称的に設けられる空きチャンバを含み、前記モータには上下対称の第一駆動ベベルギヤが動力が伝達できるように連結され、前記第一駆動ベベルギヤの後側には第一従動ベベルギヤが噛み合って設置され、前記第一従動ベベルギヤの後側には揺りロッドが回転できるように設けられ、前記揺りロッドが前記空きチャンバの前後両壁の間に回転できるように連結され、前記揺りロッドの中には直線スライド溝が前後に貫通して設けられ、前記第一従動ベベルギヤの後端面の左側には前記直線スライド溝の中に伸びている直線スライドロッドが固定的に設けられ、前記揺りロッドの上端にはヒンジロッドがヒンジにより連結され、前記ロックブロックスライドチャンバのうち中心に近接する側にはガイドスライド溝が連通して設けられ、前記ガイドスライド溝の中にはガイドスライドブロックがスライドできるように設けられ、前記ヒンジロッドの右端が前記ロックブロックスライドチャンバの中に伸びており、且つ前記ヒンジロッドの右端が前記ガイドスライドブロックのうち対称中心から離れている一端にヒンジにより連結され、前記ロックブロックが前記ロックブロックスライドチャンバの中にスライドできるように設けられ、前記ガイドスライドブロックと前記ロックブロックの左端面との間には折れ線コンロッドが固定的に連結され、前記アンロック体の左端面の中には左に開口した前記ロック溝が前記ロックブロックスライドチャンバに対応して設置されることを特徴とする請求項１に記載の使用しやすい計時ロック装置。
【請求項３】
前記初歩施錠装置は前記主体の中に設けられる右に開口した前記ロックチャンバを含み、前記ロックブロックチャンバが前記ロックチャンバの中に上下対称的に、且つ連通して設けられ、前記ロックブロックチャンバの左右内壁の中にはリミット溝が対称的に、且つ連通して設けられ、前記施錠スライダには前記リミット溝の中に伸びているストッパーが左右対称的に、且つ固定的に設けられ、前記ストッパーの上端と前記リミット溝の上壁との間にはリミットばねが連結されることを特徴とする請求項１に記載の使用しやすい計時ロック装置。
【請求項４】
前記アンロック装置は前記主体の前の右端に固定的に設けられる前記キーロックを含み、前記キーロックの後側において前記アンロック体の中には第一リールチャンバが設けられ、前記キーロックの後端には前記第一リールチャンバの中に伸びている回転軸を通じて第一リールが固定的に連結され、前記第一リールには牽引線が巻きつくように設けられ、前記牽引線が前記ロックロッドの右端面に固定的に連結され、前記第一リールチャンバの後側にはベルトチャンバが設けられ、前記第一リールの後端には前記ベルトチャンバの中に伸びている第一駆動ベルト軸が固定的に連結され、前記第一駆動ベルト軸の上下両側には第一従動ベルト軸が回転できるように設けられ、前記第一駆動ベルト軸と前記第一従動ベルト軸との間には伝動ベルトが巻きつくように設けられ、前記ベルトチャンバの前側において前記第一リールチャンバの中にはギヤチャンバが上下対称的に設けられ、前記第一従動ベルト軸の前端が前記ギヤチャンバの中に伸びており、且つ前記第一従動ベルト軸の前端には第二駆動ベベルギヤが設けられ、前記第二駆動ベベルギヤのうち対称中心から離れている一端には第二従動ベベルギヤが噛み合って設けられ、前記ロックブロックチャンバのうち対称中心から離れている側にはベルト伝動チャンバが設けられ、前記第二従動ベベルギヤのうち中心から離れている一端には前記ベルト伝動チャンバの中に伸びている第二駆動ベルト軸が固定的に連結され、前記第二駆動ベルト軸の左側には第二従動ベルト軸が回転できるように設けられ、前記第二駆動ベルト軸と前記第二従動ベルト軸との間には動力ベルトが巻きつくように設けられ、前記ベルト伝動チャンバのうち対称中心から離れている側には第二リールチャンバが設けられ、前記第二従動ベルト軸のうち対称中心から離れている一端が前記第二リールチャンバの中に伸びており、且つ前記第二従動ベルト軸のうち対称中心から離れている一端には第二リールが固定的に連結され、前記第二リールには引き線が巻きつくように設けられ、前記引き線が前記アンロックブロックの右側端面に固定的に連結され、前記アンロックチャンバの中には復帰溝が上下対称的に連通して設けられ、前記アンロックブロックの上下両端には前記復帰溝の中に伸びている復帰ブロックが対称的に、且つ固定的に連結され、前記復帰ブロックの右端と前記復帰溝の右壁との間には復帰ばねが連結されることを特徴とする請求項１に記載の使用しやすい計時ロック装置。
【発明の詳細な説明】
【技術分野】
【０００１】
本発明はホームオートメーション技術分野を取り上げて、具体的には使用しやすい計時ロック装置である。
【背景技術】
【０００２】
人が家にいない時、または夜の時、悪い人の侵入を防止するために、ドアをロックする必要があり、しかし、多くの人が家を出る時、または寝る前に、いつもドアをロックすることを忘れ、危険の発生を防ぐために、多くのドアが直接ロックを採用し、ロック状態を除去し、そうなると外からドアを開ける時、必ず鍵で開けなければならなく、時々不便であり、そのため、使用しやすい計時ロック装置が必要となり、使用者がロックすることを忘れる時、本装置によりドアをロックすることができる。
【先行技術文献】
【特許文献】
【０００３】
【特許文献１】中国特許出願公開第１０５２２０９５９号明細書
【発明の概要】
【発明が解決しようとする課題】
【０００４】
本発明は使用しやすい計時ロック装置を提供し、従来技術における上記欠点を解消することを目的とする。
【課題を解決するための手段】
【０００５】
本発明の使用しやすい計時ロック装置は、主体を含み、前記主体の右側にはアンロック体が設けられ、前記主体の中には計時装置が設けられ、前記主体の中には初歩施錠装置が設けられ、前記アンロック体の中にはアンロック装置が設けられ、前記計時装置は前記主体の中に設けられるタイマーを含み、前記タイマーの左側には前記主体の中に固定的に設けられるモータが電気的に接続され、前記主体の右端面の中にはロックブロックスライドチャンバが上下対称的に設けられ、前記ロックブロックスライドチャンバの中にはロックブロックがスライドできるように設けられ、前記アンロック体の左端面の中にはロック溝が設けられ、前記初歩施錠装置が前記タイマーの右側に設けられるロックチャンバを含み、前記ロックチャンバにはロックブロックチャンバが上下対称的に互いに連通して設けられ、前記ロックブロックチャンバの中には施錠スライダがスライドできるように設けられ、前記ロックブロックチャンバのうち対称中心から離れている内壁には施錠検知ブロックが設けられ、前記施錠検知ブロックが前記タイマーと電気的に接続され、前記アンロック体の中には前記ロックチャンバに相対してロックロッドスライドチャンバが設けられ、前記ロックロッドスライドチャンバの中にはロックロッドがスライドできるように設けられ、前記ロックロッドの右端と前記ロックロッドスライドチャンバの右壁との間には押圧ばねが固定的に連結され、前記ロックロッドの左端が前記ロックチャンバの中まで伸びている時、前記計時装置を始動し、前記アンロック装置は前記アンロック体の前端面の右端に設けられるキーロックを含み、前記アンロック体の左側端面にはアンロックチャンバが上下対称的に設けられ、前記アンロックチャンバの中にはアンロックブロックがスライドできるように設けられ、前記主体の右側端面にはアンロック感知ブロックが前記アンロックブロックに対応して設けられ、前記アンロック感知ブロックが前記モータに電気的に接続される。
【０００６】
更の技術プランとして、前記計時装置は前記主体の中に上下対称的に設けられる空きチャンバを含み、前記モータには上下対称の第一駆動ベベルギヤが動力が伝達できるように連結され、前記第一駆動ベベルギヤの後側には第一従動ベベルギヤが噛み合って設置され、前記第一従動ベベルギヤの後側には揺りロッドが回転できるように設けられ、前記揺りロッドが前記空きチャンバの前後両壁の間に回転できるように連結され、前記揺りロッドの中には直線スライド溝が前後に貫通して設けられ、前記第一従動ベベルギヤの後端面の左側には前記直線スライド溝の中に伸びている直線スライドロッドが固定的に設けられ、前記揺りロッドの上端にはヒンジロッドがヒンジにより連結され、前記ロックブロックスライドチャンバのうち中心に近接する側にはガイドスライド溝が連通して設けられ、前記ガイドスライド溝の中にはガイドスライドブロックがスライドできるように設けられ、前記ヒンジロッドの右端が前記ロックブロックスライドチャンバの中に伸びており、且つ前記ヒンジロッドの右端が前記ガイドスライドブロックのうち対称中心から離れている一端にヒンジにより連結され、前記ロックブロックが前記ロックブロックスライドチャンバの中にスライドできるように設けられ、前記ガイドスライドブロックと前記ロックブロックの左端面との間には折れ線コンロッドが固定的に連結され、前記アンロック体の左端面の中には左に開口した前記ロック溝が前記ロックブロックスライドチャンバに対応して設置される。
【０００７】
更の技術プランとして、前記初歩施錠装置は前記主体の中に設けられる右に開口した前記ロックチャンバを含み、前記ロックブロックチャンバが前記ロックチャンバの中に上下対称的に、且つ連通して設けられ、前記ロックブロックチャンバの左右内壁の中にはリミット溝が対称的に、且つ連通して設けられ、前記施錠スライダには前記リミット溝の中に伸びているストッパーが左右対称的に、且つ固定的に設けられ、前記ストッパーの上端と前記リミット溝の上壁との間にはリミットばねが連結される。
【０００８】
更の技術プランとして、前記アンロック装置は前記主体の前の右端に固定的に設けられる前記キーロックを含み、前記キーロックの後側において前記アンロック体の中には第一リールチャンバが設けられ、前記キーロックの後端には前記第一リールチャンバの中に伸びている回転軸を通じて第一リールが固定的に連結され、前記第一リールには牽引線が巻きつくように設けられ、前記牽引線が前記ロックロッドの右端面に固定的に連結され、前記第一リールチャンバの後側にはベルトチャンバが設けられ、前記第一リールの後端には前記ベルトチャンバの中に伸びている第一駆動ベルト軸が固定的に連結され、前記第一駆動ベルト軸の上下両側には第一従動ベルト軸が回転できるように設けられ、前記第一駆動ベルト軸と前記第一従動ベルト軸との間には伝動ベルトが巻きつくように設けられ、前記ベルトチャンバの前側において前記第一リールチャンバの中にはギヤチャンバが上下対称的に設けられ、前記第一従動ベルト軸の前端が前記ギヤチャンバの中に伸びており、且つ前記第一従動ベルト軸の前端には第二駆動ベベルギヤが設けられ、前記第二駆動ベベルギヤのうち対称中心から離れている一端には第二従動ベベルギヤが噛み合って設けられ、前記ロックブロックチャンバのうち対称中心から離れている側にはベルト伝動チャンバが設けられ、前記第二従動ベベルギヤのうち中心から離れている一端には前記ベルト伝動チャンバの中に伸びている第二駆動ベルト軸が固定的に連結され、前記第二駆動ベルト軸の左側には第二従動ベルト軸が回転できるように設けられ、前記第二駆動ベルト軸と前記第二従動ベルト軸との間には動力ベルトが巻きつくように設けられ、前記ベルト伝動チャンバのうち対称中心から離れている側には第二リールチャンバが設けられ、前記第二従動ベルト軸のうち対称中心から離れている一端が前記第二リールチャンバの中に伸びており、且つ前記第二従動ベルト軸のうち対称中心から離れている一端には第二リールが固定的に連結され、前記第二リールには引き線が巻きつくように設けられ、前記引き線が前記アンロックブロックの右側端面に固定的に連結され、前記アンロックチャンバの中には復帰溝が上下対称的に連通して設けられ、前記アンロックブロックの上下両端には前記復帰溝の中に伸びている復帰ブロックが対称的に、且つ固定的に連結され、前記復帰ブロックの右端と前記復帰溝の右壁との間には復帰ばねが連結される。
【発明の効果】
【０００９】
本発明の有益効果は：本装置を通じて施錠を行う時、初歩施錠によりドアをロックすることができ、一定の時間内にドアを開けようとする時は簡単な解錠によりドアを開けることができ、しかし、一定の時間内にドアを開けないと、一時ドアを開ける必要がないと見なされ、安全性を確保するために、本装置は自動的に二次施錠を行い、徹底的にドアをロックし、アンロックをした後、ダブルロックを開けることができ、安全性がもっと高く、同時に使用しやすい。
【図面の簡単な説明】
【００１０】
【図１】図１は本発明の使用しやすい計時ロック装置の内部全体構成模式図
【図２】図２は図１の「Ａ−Ａ」方向の構成模式図
【図３】図３は図１の「Ｂ−Ｂ」方向の構成模式図
【図４】図４は図１の「Ｃ」の拡大模式図
【発明を実施するための形態】
【００１１】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１２】
図１〜４を参照し、本発明の使用しやすい計時ロック装置は、主体１１を含み、前記主体１１の右側にはアンロック体１２が設けられ、前記主体１１の中には計時装置が設けられ、前記主体１１の中には初歩施錠装置が設けられ、前記アンロック体１２の中にはアンロック装置が設けられ、前記計時装置は前記主体１１の中に設けられるタイマー１３を含み、前記タイマー１３の左側には前記主体１１の中に固定的に設けられるモータ１４が電気的に接続され、前記主体１１の右端面の中にはロックブロックスライドチャンバ１５が上下対称的に設けられ、前記ロックブロックスライドチャンバ１５の中にはロックブロック１６がスライドできるように設けられ、前記アンロック体１２の左端面の中にはロック溝１７が設けられ、前記初歩施錠装置が前記タイマー１３の右側に設けられるロックチャンバ１８を含み、前記ロックチャンバ１８にはロックブロックチャンバ１９が上下対称的に互いに連通して設けられ、前記ロックブロックチャンバ１９の中には施錠スライダ２０がスライドできるように設けられ、前記ロックブロックチャンバ１９のうち対称中心から離れている内壁には施錠検知ブロック２１が設けられ、前記施錠検知ブロック２１が前記タイマー１３と電気的に接続され、前記アンロック体１２の中には前記ロックチャンバ１８に相対してロックロッドスライドチャンバ２２が設けられ、前記ロックロッドスライドチャンバ２２の中にはロックロッド２３がスライドできるように設けられ、前記ロックロッド２３の右端と前記ロックロッドスライドチャンバ２２の右壁との間には押圧ばね４１が固定的に連結され、前記ロックロッド２３の左端が前記ロックチャンバ１８の中まで伸びている時、前記計時装置を始動し、前記アンロック装置は前記アンロック体１２の前端面の右端に設けられるキーロック２４を含み、前記アンロック体１２の左側端面にはアンロックチャンバ２５が上下対称的に設けられ、前記アンロックチャンバ２５の中にはアンロックブロック２６がスライドできるように設けられ、前記主体１１の右側端面にはアンロック感知ブロック２７が前記アンロックブロック２６に対応して設けられ、前記アンロック感知ブロック２７が前記モータ１４に電気的に接続される。
【００１３】
有益的には、前記計時装置は前記主体１１の中に上下対称的に設けられる空きチャンバ２８を含み、前記モータ１４には上下対称の第一駆動ベベルギヤ２９が動力が伝達できるように連結され、前記第一駆動ベベルギヤ２９の後側には第一従動ベベルギヤ３０が噛み合って設置され、前記第一従動ベベルギヤ３０の後側には揺りロッド３１が回転できるように設けられ、前記揺りロッド３１が前記空きチャンバ２８の前後両壁の間に回転できるように連結され、前記揺りロッド３１の中には直線スライド溝３２が前後に貫通して設けられ、前記第一従動ベベルギヤ３０の後端面の左側には前記直線スライド溝３２の中に伸びている直線スライドロッド３３が固定的に設けられ、前記揺りロッド３１の上端にはヒンジロッド３４がヒンジにより連結され、前記ロックブロックスライドチャンバ１５のうち中心に近接する側にはガイドスライド溝３５が連通して設けられ、前記ガイドスライド溝３５の中にはガイドスライドブロック３６がスライドできるように設けられ、前記ヒンジロッド３４の右端が前記ロックブロックスライドチャンバ１５の中に伸びており、且つ前記ヒンジロッド３４の右端が前記ガイドスライドブロック３６のうち対称中心から離れている一端にヒンジにより連結され、前記ロックブロック１６が前記ロックブロックスライドチャンバ１５の中にスライドできるように設けられ、前記ガイドスライドブロック３６と前記ロックブロック１６の左端面との間には折れ線コンロッド３７が固定的に連結され、前記アンロック体１２の左端面の中には左に開口した前記ロック溝１７が前記ロックブロックスライドチャンバ１５に対応して設置される。
【００１４】
有益的には、前記初歩施錠装置は前記主体１１の中に設けられる右に開口した前記ロックチャンバ１８を含み、前記ロックブロックチャンバ１９が前記ロックチャンバ１８の中に上下対称的に、且つ連通して設けられ、前記ロックブロックチャンバ１９の左右内壁の中にはリミット溝３８が対称的に、且つ連通して設けられ、前記施錠スライダ２０には前記リミット溝３８の中に伸びているストッパー３９が左右対称的に、且つ固定的に設けられ、前記ストッパー３９の上端と前記リミット溝３８の上壁との間にはリミットばね４０が連結される。
【００１５】
有益的には、前記アンロック装置は前記主体１１の前の右端に固定的に設けられる前記キーロック２４を含み、前記キーロック２４の後側において前記アンロック体１２の中には第一リールチャンバ４２が設けられ、前記キーロック２４の後端には前記第一リールチャンバ４２の中に伸びている回転軸を通じて第一リール４３が固定的に連結され、前記第一リール４３には牽引線４４が巻きつくように設けられ、前記牽引線４４が前記ロックロッド２３の右端面に固定的に連結され、前記第一リールチャンバ４２の後側にはベルトチャンバ４５が設けられ、前記第一リール４３の後端には前記ベルトチャンバ４５の中に伸びている第一駆動ベルト軸４６が固定的に連結され、前記第一駆動ベルト軸４６の上下両側には第一従動ベルト軸４７が回転できるように設けられ、前記第一駆動ベルト軸４６と前記第一従動ベルト軸４７との間には伝動ベルト４８が巻きつくように設けられ、前記ベルトチャンバ４５の前側において前記第一リールチャンバ４２の中にはギヤチャンバ４９が上下対称的に設けられ、前記第一従動ベルト軸４７の前端が前記ギヤチャンバ４９の中に伸びており、且つ前記第一従動ベルト軸４７の前端には第二駆動ベベルギヤ５０が設けられ、前記第二駆動ベベルギヤ５０のうち対称中心から離れている一端には第二従動ベベルギヤ５１が噛み合って設けられ、前記ロックブロックチャンバ１９のうち対称中心から離れている側にはベルト伝動チャンバ５２が設けられ、前記第二従動ベベルギヤ５１のうち中心から離れている一端には前記ベルト伝動チャンバ５２の中に伸びている第二駆動ベルト軸５３が固定的に連結され、前記第二駆動ベルト軸５３の左側には第二従動ベルト軸５４が回転できるように設けられ、前記第二駆動ベルト軸５３と前記第二従動ベルト軸５４との間には動力ベルト５５が巻きつくように設けられ、前記ベルト伝動チャンバ５２のうち対称中心から離れている側には第二リールチャンバ５６が設けられ、前記第二従動ベルト軸５４のうち対称中心から離れている一端が前記第二リールチャンバ５６の中に伸びており、且つ前記第二従動ベルト軸５４のうち対称中心から離れている一端には第二リール５７が固定的に連結され、前記第二リール５７には引き線５８が巻きつくように設けられ、前記引き線５８が前記アンロックブロック２６の右側端面に固定的に連結され、前記アンロックチャンバ２５の中には復帰溝５９が上下対称的に連通して設けられ、前記アンロックブロック２６の上下両端には前記復帰溝５９の中に伸びている復帰ブロック６０が対称的に、且つ固定的に連結され、前記復帰ブロック６０の右端と前記復帰溝５９の右壁との間には復帰ばね６１が連結される。
【００１６】
ドアをロックする時、ドアを閉めた後、この時ロックロッド２３の左端がロックチャンバ１８の中に移動し、初歩施錠を行い、更に施錠スライダ２０を押し動かして対称中心から離れている方向へ移動させ、この時、施錠スライダ２０が施錠検知ブロック２１と当接し、施錠検知ブロック２１がドアを閉める動作を検知した時、タイマー１３がカウントダウンを行い、計時が終わった後、且つ二次施錠またはアンロック動作を行っていない時、モータ１４が起動し、更に第一駆動ベベルギヤ２９を連動させて回転させ、更に第一従動ベベルギヤ３０を連動させて百八十度回転させ、更に直線スライドロッド３３により揺りロッド３１を連動させて回転させ、更にヒンジロッド３４によりガイドスライドブロック３６を連動させて右へ移動させ、更に折れ線コンロッド３７によりロックブロック１６を連動させて右へ移動させ、この時、ロックブロック１６の右端がロック溝１７の中に伸びており、ダブル施錠を行い、アンロックする時、マッチングしたキーでキーロック２４の中で解錠し、同時にキーロック２４を回転させ、更に第一リール４３を連動させて回転させ、更に牽引線４４を引き締め、更にロックロッド２３を引き動かして右へ移動させ、且つ完全にロックロッドスライドチャンバ２２の中に引っ込み、それと同時に、第一リール４３が第一駆動ベルト軸４６を連動させて回転させ、更に伝動ベルト４８により第一従動ベルト軸４７を連動させて回転させ、更に第二駆動ベベルギヤ５０を連動させて回転させ、更に第二従動ベベルギヤ５１を連動させて回転させ、更に第二駆動ベルト軸５３を連動させて回転させ、更に動力ベルト５５により第二従動ベルト軸５４を連動させて回転させ、更に第二リール５７を連動させて回転させ、更に引き線５８を引き締め、更にアンロックブロック２６を引き動かして右へ移動させ、この時、アンロックブロック２６がアンロック感知ブロック２７との接触から離脱し、この時、アンロック感知ブロック２７がアンロック操作を検知し、モータ１４が逆方向に回転し、更にロックブロック１６を連動させて左へ移動させ、更にアンロックを行い、この時ドアを開けることができる。
【００１７】
本発明の有益効果は：本装置を通じて施錠を行う時、初歩施錠によりドアをロックすることができ、一定の時間内にドアを開けようとする時は簡単な解錠によりドアを開けることができ、しかし、一定の時間内にドアを開けないと、一時ドアを開ける必要がないと見なされ、安全性を確保するために、本装置は自動的に二次施錠を行い、徹底的にドアをロックし、アンロックをした後、ダブルロックを開けることができ、安全性がもっと高く、同時に使用しやすい。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020180532.tif 000003
【図２】
2020180532.tif 000004
【図３】
2020180532.tif 000005
【図４】
2020180532.tif 000006
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
主体を含み、前記主体の右側にはアンロック体が設けられ、前記主体の中には計時装置が設けられ、前記主体の中には初歩施錠装置が設けられ、前記アンロック体の中にはアンロック装置が設けられ、前記計時装置は前記主体の中に設けられるタイマーを含み、前記タイマーの左側には前記主体の中に固定的に設けられるモータが電気的に接続され、前記主体の右端面の中にはロックブロックスライドチャンバが上下対称的に設けられ、前記ロックブロックスライドチャンバの中にはロックブロックがスライドできるように設けられ、前記アンロック体の左端面の中にはロック溝が設けられ、前記初歩施錠装置が前記タイマーの右側に設けられるロックチャンバを含み、前記ロックチャンバにはロックブロックチャンバが上下対称的に互いに連通して設けられ、前記ロックブロックチャンバの中には施錠スライダがスライドできるように設けられ、前記ロックブロックチャンバのうち対称中心から離れている内壁には施錠検知ブロックが設けられ、前記施錠検知ブロックが前記タイマーと電気的に接続され、前記アンロック体の中には前記ロックチャンバに相対してロックロッドスライドチャンバが設けられ、前記ロックロッドスライドチャンバの中にはロックロッドがスライドできるように設けられ、前記ロックロッドの右端と前記ロックロッドスライドチャンバの右壁との間には押圧ばねが固定的に連結され、前記ロックロッドの左端が前記ロックチャンバの中まで伸びている時、前記計時装置を始動し、前記アンロック装置は前記アンロック体の前端面の右端に設けられるキーロックを含み、前記アンロック体の左側端面にはアンロックチャンバが上下対称的に設けられ、前記アンロックチャンバの中にはアンロックブロックがスライドできるように設けられ、前記主体の右側端面にはアンロック感知ブロックが前記アンロックブロックに対応して設けられ、前記アンロック感知ブロックが前記モータに電気的に接続されることを特徴とする使用しやすい計時ロック装置。
【請求項２】
前記計時装置は前記主体の中に上下対称的に設けられる空きチャンバを含み、前記モータには上下対称の第一駆動ベベルギヤが動力が伝達できるように連結され、前記第一駆動ベベルギヤの後側には第一従動ベベルギヤが噛み合って設置され、前記第一従動ベベルギヤの後側には揺りロッドが回転できるように設けられ、前記揺りロッドが前記空きチャンバの前後両壁の間に回転できるように連結され、前記揺りロッドの中には直線スライド溝が前後に貫通して設けられ、前記第一従動ベベルギヤの後端面の左側には前記直線スライド溝の中に伸びている直線スライドロッドが固定的に設けられ、前記揺りロッドの上端にはヒンジロッドがヒンジにより連結され、前記ロックブロックスライドチャンバのうち中心に近接する側にはガイドスライド溝が連通して設けられ、前記ガイドスライド溝の中にはガイドスライドブロックがスライドできるように設けられ、前記ヒンジロッドの右端が前記ロックブロックスライドチャンバの中に伸びており、且つ前記ヒンジロッドの右端が前記ガイドスライドブロックのうち対称中心から離れている一端にヒンジにより連結され、前記ロックブロックが前記ロックブロックスライドチャンバの中にスライドできるように設けられ、前記ガイドスライドブロックと前記ロックブロックの左端面との間には折れ線コンロッドが固定的に連結され、前記アンロック体の左端面の中には左に開口した前記ロック溝が前記ロックブロックスライドチャンバに対応して設置されることを特徴とする請求項１に記載の使用しやすい計時ロック装置。
【請求項３】
前記初歩施錠装置は前記主体の中に設けられる右に開口した前記ロックチャンバを含み、前記ロックブロックチャンバが前記ロックチャンバの中に上下対称的に、且つ連通して設けられ、前記ロックブロックチャンバの左右内壁の中にはリミット溝が対称的に、且つ連通して設けられ、前記施錠スライダには前記リミット溝の中に伸びているストッパーが左右対称的に、且つ固定的に設けられ、前記ストッパーの上端と前記リミット溝の上壁との間にはリミットばねが連結されることを特徴とする請求項１に記載の使用しやすい計時ロック装置。
【請求項４】
前記アンロック装置は前記主体の前の右端に固定的に設けられる前記キーロックを含み、前記キーロックの後側において前記アンロック体の中には第一リールチャンバが設けられ、前記キーロックの後端には前記第一リールチャンバの中に伸びている回転軸を通じて第一リールが固定的に連結され、前記第一リールには牽引線が巻きつくように設けられ、前記牽引線が前記ロックロッドの右端面に固定的に連結され、前記第一リールチャンバの後側にはベルトチャンバが設けられ、前記第一リールの後端には前記ベルトチャンバの中に伸びている第一駆動ベルト軸が固定的に連結され、前記第一駆動ベルト軸の上下両側には第一従動ベルト軸が回転できるように設けられ、前記第一駆動ベルト軸と前記第一従動ベルト軸との間には伝動ベルトが巻きつくように設けられ、前記ベルトチャンバの前側において前記第一リールチャンバの中にはギヤチャンバが上下対称的に設けられ、前記第一従動ベルト軸の前端が前記ギヤチャンバの中に伸びており、且つ前記第一従動ベルト軸の前端には第二駆動ベベルギヤが設けられ、前記第二駆動ベベルギヤのうち対称中心から離れている一端には第二従動ベベルギヤが噛み合って設けられ、前記ギヤチャンバのうち対称中心から離れている側にはベルト伝動チャンバが設けられ、前記第二従動ベベルギヤのうち中心から離れている一端には前記ベルト伝動チャンバの中に伸びている第二駆動ベルト軸が固定的に連結され、前記第二駆動ベルト軸の左側には第二従動ベルト軸が回転できるように設けられ、前記第二駆動ベルト軸と前記第二従動ベルト軸との間には動力ベルトが巻きつくように設けられ、前記ベルト伝動チャンバのうち対称中心から離れている側には第二リールチャンバが設けられ、前記第二従動ベルト軸のうち対称中心から離れている一端が前記第二リールチャンバの中に伸びており、且つ前記第二従動ベルト軸のうち対称中心から離れている一端には第二リールが固定的に連結され、前記第二リールには引き線が巻きつくように設けられ、前記引き線が前記アンロックブロックの右側端面に固定的に連結され、前記アンロックチャンバの中には復帰溝が上下対称的に連通して設けられ、前記アンロックブロックの上下両端には前記復帰溝の中に伸びている復帰ブロックが対称的に、且つ固定的に連結され、前記復帰ブロックの右端と前記復帰溝の右壁との間には復帰ばねが連結されることを特徴とする請求項１に記載の使用しやすい計時ロック装置。
【手続補正２】
【補正対象書類名】明細書
【補正対象項目名】全文
【補正方法】変更
【補正の内容】
【発明の詳細な説明】
【技術分野】
【０００１】
本発明はホームオートメーション技術分野を取り上げて、具体的には使用しやすい計時ロック装置である。
【背景技術】
【０００２】
人が家にいない時、または夜の時、悪い人の侵入を防止するために、ドアをロックする必要があり、しかし、多くの人が家を出る時、または寝る前に、いつもドアをロックすることを忘れ、危険の発生を防ぐために、多くのドアが直接ロックを採用し、ロック状態を除去し、そうなると外からドアを開ける時、必ず鍵で開けなければならなく、時々不便であり、そのため、使用しやすい計時ロック装置が必要となり、使用者がロックすることを忘れる時、本装置によりドアをロックすることができる。
【先行技術文献】
【特許文献】
【０００３】
【特許文献１】中国特許出願公開第１０５２２０９５９号明細書
【発明の概要】
【発明が解決しようとする課題】
【０００４】
本発明は使用しやすい計時ロック装置を提供し、従来技術における上記欠点を解消することを目的とする。
【課題を解決するための手段】
【０００５】
本発明の使用しやすい計時ロック装置は、主体を含み、前記主体の右側にはアンロック体が設けられ、前記主体の中には計時装置が設けられ、前記主体の中には初歩施錠装置が設けられ、前記アンロック体の中にはアンロック装置が設けられ、前記計時装置は前記主体の中に設けられるタイマーを含み、前記タイマーの左側には前記主体の中に固定的に設けられるモータが電気的に接続され、前記主体の右端面の中にはロックブロックスライドチャンバが上下対称的に設けられ、前記ロックブロックスライドチャンバの中にはロックブロックがスライドできるように設けられ、前記アンロック体の左端面の中にはロック溝が設けられ、前記初歩施錠装置が前記タイマーの右側に設けられるロックチャンバを含み、前記ロックチャンバにはロックブロックチャンバが上下対称的に互いに連通して設けられ、前記ロックブロックチャンバの中には施錠スライダがスライドできるように設けられ、前記ロックブロックチャンバのうち対称中心から離れている内壁には施錠検知ブロックが設けられ、前記施錠検知ブロックが前記タイマーと電気的に接続され、前記アンロック体の中には前記ロックチャンバに相対してロックロッドスライドチャンバが設けられ、前記ロックロッドスライドチャンバの中にはロックロッドがスライドできるように設けられ、前記ロックロッドの右端と前記ロックロッドスライドチャンバの右壁との間には押圧ばねが固定的に連結され、前記ロックロッドの左端が前記ロックチャンバの中まで伸びている時、前記計時装置を始動し、前記アンロック装置は前記アンロック体の前端面の右端に設けられるキーロックを含み、前記アンロック体の左側端面にはアンロックチャンバが上下対称的に設けられ、前記アンロックチャンバの中にはアンロックブロックがスライドできるように設けられ、前記主体の右側端面にはアンロック感知ブロックが前記アンロックブロックに対応して設けられ、前記アンロック感知ブロックが前記モータに電気的に接続される。
【０００６】
更の技術プランとして、前記計時装置は前記主体の中に上下対称的に設けられる空きチャンバを含み、前記モータには上下対称の第一駆動ベベルギヤが動力が伝達できるように連結され、前記第一駆動ベベルギヤの後側には第一従動ベベルギヤが噛み合って設置され、前記第一従動ベベルギヤの後側には揺りロッドが回転できるように設けられ、前記揺りロッドが前記空きチャンバの前後両壁の間に回転できるように連結され、前記揺りロッドの中には直線スライド溝が前後に貫通して設けられ、前記第一従動ベベルギヤの後端面の左側には前記直線スライド溝の中に伸びている直線スライドロッドが固定的に設けられ、前記揺りロッドの上端にはヒンジロッドがヒンジにより連結され、前記ロックブロックスライドチャンバのうち中心に近接する側にはガイドスライド溝が連通して設けられ、前記ガイドスライド溝の中にはガイドスライドブロックがスライドできるように設けられ、前記ヒンジロッドの右端が前記ロックブロックスライドチャンバの中に伸びており、且つ前記ヒンジロッドの右端が前記ガイドスライドブロックのうち対称中心から離れている一端にヒンジにより連結され、前記ロックブロックが前記ロックブロックスライドチャンバの中にスライドできるように設けられ、前記ガイドスライドブロックと前記ロックブロックの左端面との間には折れ線コンロッドが固定的に連結され、前記アンロック体の左端面の中には左に開口した前記ロック溝が前記ロックブロックスライドチャンバに対応して設置される。
【０００７】
更の技術プランとして、前記初歩施錠装置は前記主体の中に設けられる右に開口した前記ロックチャンバを含み、前記ロックブロックチャンバが前記ロックチャンバの中に上下対称的に、且つ連通して設けられ、前記ロックブロックチャンバの左右内壁の中にはリミット溝が対称的に、且つ連通して設けられ、前記施錠スライダには前記リミット溝の中に伸びているストッパーが左右対称的に、且つ固定的に設けられ、前記ストッパーの上端と前記リミット溝の上壁との間にはリミットばねが連結される。
【０００８】
更の技術プランとして、前記アンロック装置は前記主体の前の右端に固定的に設けられる前記キーロックを含み、前記キーロックの後側において前記アンロック体の中には第一リールチャンバが設けられ、前記キーロックの後端には前記第一リールチャンバの中に伸びている回転軸を通じて第一リールが固定的に連結され、前記第一リールには牽引線が巻きつくように設けられ、前記牽引線が前記ロックロッドの右端面に固定的に連結され、前記第一リールチャンバの後側にはベルトチャンバが設けられ、前記第一リールの後端には前記ベルトチャンバの中に伸びている第一駆動ベルト軸が固定的に連結され、前記第一駆動ベルト軸の上下両側には第一従動ベルト軸が回転できるように設けられ、前記第一駆動ベルト軸と前記第一従動ベルト軸との間には伝動ベルトが巻きつくように設けられ、前記ベルトチャンバの前側において前記第一リールチャンバの中にはギヤチャンバが上下対称的に設けられ、前記第一従動ベルト軸の前端が前記ギヤチャンバの中に伸びており、且つ前記第一従動ベルト軸の前端には第二駆動ベベルギヤが設けられ、前記第二駆動ベベルギヤのうち対称中心から離れている一端には第二従動ベベルギヤが噛み合って設けられ、前記ギヤチャンバのうち対称中心から離れている側にはベルト伝動チャンバが設けられ、前記第二従動ベベルギヤのうち中心から離れている一端には前記ベルト伝動チャンバの中に伸びている第二駆動ベルト軸が固定的に連結され、前記第二駆動ベルト軸の左側には第二従動ベルト軸が回転できるように設けられ、前記第二駆動ベルト軸と前記第二従動ベルト軸との間には動力ベルトが巻きつくように設けられ、前記ベルト伝動チャンバのうち対称中心から離れている側には第二リールチャンバが設けられ、前記第二従動ベルト軸のうち対称中心から離れている一端が前記第二リールチャンバの中に伸びており、且つ前記第二従動ベルト軸のうち対称中心から離れている一端には第二リールが固定的に連結され、前記第二リールには引き線が巻きつくように設けられ、前記引き線が前記アンロックブロックの右側端面に固定的に連結され、前記アンロックチャンバの中には復帰溝が上下対称的に連通して設けられ、前記アンロックブロックの上下両端には前記復帰溝の中に伸びている復帰ブロックが対称的に、且つ固定的に連結され、前記復帰ブロックの右端と前記復帰溝の右壁との間には復帰ばねが連結される。
【発明の効果】
【０００９】
本発明の有益効果は：本装置を通じて施錠を行う時、初歩施錠によりドアをロックすることができ、一定の時間内にドアを開けようとする時は簡単な解錠によりドアを開けることができ、しかし、一定の時間内にドアを開けないと、一時ドアを開ける必要がないと見なされ、安全性を確保するために、本装置は自動的に二次施錠を行い、徹底的にドアをロックし、アンロックをした後、ダブルロックを開けることができ、安全性がもっと高く、同時に使用しやすい。
【図面の簡単な説明】
【００１０】
【図１】図１は本発明の使用しやすい計時ロック装置の内部全体構成模式図
【図２】図２は図１の「Ａ−Ａ」方向の構成模式図
【図３】図３は図１の「Ｂ−Ｂ」方向の構成模式図
【図４】図４は図１の「Ｃ」の拡大模式図
【発明を実施するための形態】
【００１１】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１２】
図１〜４を参照し、本発明の使用しやすい計時ロック装置は、主体１１を含み、前記主体１１の右側にはアンロック体１２が設けられ、前記主体１１の中には計時装置が設けられ、前記主体１１の中には初歩施錠装置が設けられ、前記アンロック体１２の中にはアンロック装置が設けられ、前記計時装置は前記主体１１の中に設けられるタイマー１３を含み、前記タイマー１３の左側には前記主体１１の中に固定的に設けられるモータ１４が電気的に接続され、前記主体１１の右端面の中にはロックブロックスライドチャンバ１５が上下対称的に設けられ、前記ロックブロックスライドチャンバ１５の中にはロックブロック１６がスライドできるように設けられ、前記アンロック体１２の左端面の中にはロック溝１７が設けられ、前記初歩施錠装置が前記タイマー１３の右側に設けられるロックチャンバ１８を含み、前記ロックチャンバ１８にはロックブロックチャンバ１９が上下対称的に互いに連通して設けられ、前記ロックブロックチャンバ１９の中には施錠スライダ２０がスライドできるように設けられ、前記ロックブロックチャンバ１９のうち対称中心から離れている内壁には施錠検知ブロック２１が設けられ、前記施錠検知ブロック２１が前記タイマー１３と電気的に接続され、前記アンロック体１２の中には前記ロックチャンバ１８に相対してロックロッドスライドチャンバ２２が設けられ、前記ロックロッドスライドチャンバ２２の中にはロックロッド２３がスライドできるように設けられ、前記ロックロッド２３の右端と前記ロックロッドスライドチャンバ２２の右壁との間には押圧ばね４１が固定的に連結され、前記ロックロッド２３の左端が前記ロックチャンバ１８の中まで伸びている時、前記計時装置を始動し、前記アンロック装置は前記アンロック体１２の前端面の右端に設けられるキーロック２４を含み、前記アンロック体１２の左側端面にはアンロックチャンバ２５が上下対称的に設けられ、前記アンロックチャンバ２５の中にはアンロックブロック２６がスライドできるように設けられ、前記主体１１の右側端面にはアンロック感知ブロック２７が前記アンロックブロック２６に対応して設けられ、前記アンロック感知ブロック２７が前記モータ１４に電気的に接続される。
【００１３】
有益的には、前記計時装置は前記主体１１の中に上下対称的に設けられる空きチャンバ２８を含み、前記モータ１４には上下対称の第一駆動ベベルギヤ２９が動力が伝達できるように連結され、前記第一駆動ベベルギヤ２９の後側には第一従動ベベルギヤ３０が噛み合って設置され、前記第一従動ベベルギヤ３０の後側には揺りロッド３１が回転できるように設けられ、前記揺りロッド３１が前記空きチャンバ２８の前後両壁の間に回転できるように連結され、前記揺りロッド３１の中には直線スライド溝３２が前後に貫通して設けられ、前記第一従動ベベルギヤ３０の後端面の左側には前記直線スライド溝３２の中に伸びている直線スライドロッド３３が固定的に設けられ、前記揺りロッド３１の上端にはヒンジロッド３４がヒンジにより連結され、前記ロックブロックスライドチャンバ１５のうち中心に近接する側にはガイドスライド溝３５が連通して設けられ、前記ガイドスライド溝３５の中にはガイドスライドブロック３６がスライドできるように設けられ、前記ヒンジロッド３４の右端が前記ロックブロックスライドチャンバ１５の中に伸びており、且つ前記ヒンジロッド３４の右端が前記ガイドスライドブロック３６のうち対称中心から離れている一端にヒンジにより連結され、前記ロックブロック１６が前記ロックブロックスライドチャンバ１５の中にスライドできるように設けられ、前記ガイドスライドブロック３６と前記ロックブロック１６の左端面との間には折れ線コンロッド３７が固定的に連結され、前記アンロック体１２の左端面の中には左に開口した前記ロック溝１７が前記ロックブロックスライドチャンバ１５に対応して設置される。
【００１４】
有益的には、前記初歩施錠装置は前記主体１１の中に設けられる右に開口した前記ロックチャンバ１８を含み、前記ロックブロックチャンバ１９が前記ロックチャンバ１８の中に上下対称的に、且つ連通して設けられ、前記ロックブロックチャンバ１９の左右内壁の中にはリミット溝３８が対称的に、且つ連通して設けられ、前記施錠スライダ２０には前記リミット溝３８の中に伸びているストッパー３９が左右対称的に、且つ固定的に設けられ、前記ストッパー３９の上端と前記リミット溝３８の上壁との間にはリミットばね４０が連結される。
【００１５】
有益的には、前記アンロック装置は前記主体１１の前の右端に固定的に設けられる前記キーロック２４を含み、前記キーロック２４の後側において前記アンロック体１２の中には第一リールチャンバ４２が設けられ、前記キーロック２４の後端には前記第一リールチャンバ４２の中に伸びている回転軸を通じて第一リール４３が固定的に連結され、前記第一リール４３には牽引線４４が巻きつくように設けられ、前記牽引線４４が前記ロックロッド２３の右端面に固定的に連結され、前記第一リールチャンバ４２の後側にはベルトチャンバ４５が設けられ、前記第一リール４３の後端には前記ベルトチャンバ４５の中に伸びている第一駆動ベルト軸４６が固定的に連結され、前記第一駆動ベルト軸４６の上下両側には第一従動ベルト軸４７が回転できるように設けられ、前記第一駆動ベルト軸４６と前記第一従動ベルト軸４７との間には伝動ベルト４８が巻きつくように設けられ、前記ベルトチャンバ４５の前側において前記第一リールチャンバ４２の中にはギヤチャンバ４９が上下対称的に設けられ、前記第一従動ベルト軸４７の前端が前記ギヤチャンバ４９の中に伸びており、且つ前記第一従動ベルト軸４７の前端には第二駆動ベベルギヤ５０が設けられ、前記第二駆動ベベルギヤ５０のうち対称中心から離れている一端には第二従動ベベルギヤ５１が噛み合って設けられ、前記ギヤチャンバ４９のうち対称中心から離れている側にはベルト伝動チャンバ５２が設けられ、前記第二従動ベベルギヤ５１のうち中心から離れている一端には前記ベルト伝動チャンバ５２の中に伸びている第二駆動ベルト軸５３が固定的に連結され、前記第二駆動ベルト軸５３の左側には第二従動ベルト軸５４が回転できるように設けられ、前記第二駆動ベルト軸５３と前記第二従動ベルト軸５４との間には動力ベルト５５が巻きつくように設けられ、前記ベルト伝動チャンバ５２のうち対称中心から離れている側には第二リールチャンバ５６が設けられ、前記第二従動ベルト軸５４のうち対称中心から離れている一端が前記第二リールチャンバ５６の中に伸びており、且つ前記第二従動ベルト軸５４のうち対称中心から離れている一端には第二リール５７が固定的に連結され、前記第二リール５７には引き線５８が巻きつくように設けられ、前記引き線５８が前記アンロックブロック２６の右側端面に固定的に連結され、前記アンロックチャンバ２５の中には復帰溝５９が上下対称的に連通して設けられ、前記アンロックブロック２６の上下両端には前記復帰溝５９の中に伸びている復帰ブロック６０が対称的に、且つ固定的に連結され、前記復帰ブロック６０の右端と前記復帰溝５９の右壁との間には復帰ばね６１が連結される。
【００１６】
ドアをロックする時、ドアを閉めた後、この時ロックロッド２３の左端がロックチャンバ１８の中に移動し、初歩施錠を行い、更に施錠スライダ２０を押し動かして対称中心から離れている方向へ移動させ、この時、施錠スライダ２０が施錠検知ブロック２１と当接し、施錠検知ブロック２１がドアを閉める動作を検知した時、タイマー１３がカウントダウンを行い、計時が終わった後、且つ二次施錠またはアンロック動作を行っていない時、モータ１４が起動し、更に第一駆動ベベルギヤ２９を連動させて回転させ、更に第一従動ベベルギヤ３０を連動させて百八十度回転させ、更に直線スライドロッド３３により揺りロッド３１を連動させて回転させ、更にヒンジロッド３４によりガイドスライドブロック３６を連動させて右へ移動させ、更に折れ線コンロッド３７によりロックブロック１６を連動させて右へ移動させ、この時、ロックブロック１６の右端がロック溝１７の中に伸びており、ダブル施錠を行い、アンロックする時、マッチングしたキーでキーロック２４の中で解錠し、同時にキーロック２４を回転させ、更に第一リール４３を連動させて回転させ、更に牽引線４４を引き締め、更にロックロッド２３を引き動かして右へ移動させ、且つ完全にロックロッドスライドチャンバ２２の中に引っ込み、それと同時に、第一リール４３が第一駆動ベルト軸４６を連動させて回転させ、更に伝動ベルト４８により第一従動ベルト軸４７を連動させて回転させ、更に第二駆動ベベルギヤ５０を連動させて回転させ、更に第二従動ベベルギヤ５１を連動させて回転させ、更に第二駆動ベルト軸５３を連動させて回転させ、更に動力ベルト５５により第二従動ベルト軸５４を連動させて回転させ、更に第二リール５７を連動させて回転させ、更に引き線５８を引き締め、更にアンロックブロック２６を引き動かして右へ移動させ、この時、アンロックブロック２６がアンロック感知ブロック２７との接触から離脱し、この時、アンロック感知ブロック２７がアンロック操作を検知し、モータ１４が逆方向に回転し、更にロックブロック１６を連動させて左へ移動させ、更にアンロックを行い、この時ドアを開けることができる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。